(57)【要約】      （修正有）【課題】マットレス又はベッドにおける就寝者の排泄物の漏れ出しによる悪臭の発生が皆無になるように処理するための装置に使用する防水シートとバキュームボックスを提供する。【解決手段】マットレス１の略中央かつ長手方向に沿って排泄用長溝２を凹設するとともにマットレス１の上面および長溝部２を覆う防止シート４を設け、長溝２内にバキューム手段を備えるバキュームボックス３３を装入することにより、排泄物処理ボックス５０を構成する。マットレス１の排泄処理ボックス５０の防止シート４の袋体５開口部５ａとバキュームボックス３３の開口部３３ａとを気密かつ水密的に閉止しつつ排泄処理ボックス５０のマットレス１の排泄用長溝２内に排泄される排尿、排便をバキュームボックス３３のバキューム作用によって吸引することによリバキュームボックス３３内に収集することができるように構成した。【選択図】図１
0003201011.tif 000002
【実用新案登録請求の範囲】
【請求項１】
マットレス又はベッドにおける排泄物処理ボックスにおいて、マットレス又はベッドに敷設したマットレスの上面および排泄用長講を覆う防水シートの袋体開口端縁と前記排泄物処理ボックスの排泄用長講内にスライド自在に装入したバキュームボックスの開口端縁を気密かつ水密的に接着または溶着することにより構成したことを特徴とするマットレス又はベッドにおける排泄物の処理方法と装置に使用する防水シートとバキュームボックス。
【請求項２】
ベッドに敷設するマットレスの略中央かつ長手方向に沿って排泄用長溝部を凹設するとともに前記ベッドのベッド本体に、前記マットレスの排泄用長溝部に対応する排泄用長溝部を備える処理ボックスを設け、かつ前記マットレスの上面および長溝部を覆う防水シートを設けるとともに、前記ベッド本体の処理ボックス内にバキューム手段を備えるバキュームボックスを装入することにより、排泄物処理ボックスを構成したベッドにおいて、前記ベッドの排泄物処理ボックスの防水シートの袋体開口部とバキュームボックスの開口部とを気密かつ水密的に閉止しつつ、当該排泄物処理ボックスのマットレスおよびベッド本体の排泄用長溝部内に排泄される排尿、排便を前記バキュームボックスのバキューム作用により吸引することによりバキュームボックス内に収集処理するベッドにおける排泄物の処理方法と装置に使用する防水シートとバキュームボックス前記防水シートの袋体開口部をバキュームボックスの開口部に気密かつ水密的に接着あるいは溶着することにより構成し、当該バキュームボックスを前記ベッドの排泄物処理ボックスの排泄物用長溝部内に装入するとともに防水シートにより、マットレス上面及びその周辺を覆うことにより使用することができるように構成したことを特徴とするベッドにおける排泄物の処理方法と装置に使用する防水シートとバキュームボックス。
【考案の詳細な説明】
【技術分野】
【０００１】
本考案は、マットレス又はベッドにての就寝中における尿便の排泄に際する排泄物を収集処理する処理方法と装置に使用する防水シートとバキュームボックスに関するものである。
【背景技術】
【０００２】
現在、ベッド就寝状況下の排泄物処理方法としては、就寝者の身体能力状況に左右されることに加えて、処理方法、装置の処理能力に左右されている。
然るに、生涯自力排泄は、ベッド就寝者に切望されるところであるが適切な用具が無く、仕方なしにオムツに頼ってしまうのが現実である。
【０００３】
しかし、脳血管障害、パーキンソンあるいは癌末期のベッド就寝者の多くは、頭脳はしっかりしているので、少なくとも手の操作が可能であれば、ベッド上での自力排泄が可能であることに着目して、既に考案者は特願２００８−２６２４０７号（特開２０１０−８８７０１号公報）を提案したところである（特許文献１）。
【０００４】
当該マットレス又はベッドにおける排泄物の処理方法は、ベッドに敷設するマットレスの略中欠かつ長手方向に沿って排泄用の長溝を凹設するとともに長溝の長穴およびその周辺のマットレス上面を覆う防水シートによって構成される排泄物処理ボックス（装置）を介して排泄物を収集処理する方法である。
【０００５】
又、ベッド就寝者の排泄物処理ボックス（装置）の排泄用長穴に位置しての排泄は、防水シートと排泄処理ボックスの長溝内に装入セットされるバキュームボックス（バキューム手段を備える排泄物としての排尿、排便収集用ボックス）によって収集することができるように構成されている。
【０００６】
尚、前記特許文献１にては、長溝内に直接排泄する場合と差込便器を使用する実施例が示されている。
すなわち、前記ベッドにおける排泄物処理ボックス（装置）によるベッド就寝者の排泄物処理方法としては、ベッドの略中央かつ長手方向に沿って凹設する排泄用長溝部とこの長溝部の長穴および周辺を覆う防水シートに加えて、前記長溝部内に装入するバキュームボックス（尚当該バキュームボックスは、長溝部内の長穴の長さ方向間においてスライド自在（摺動自在）に装入することも可能である。
【０００７】
よって排泄物処理ボックス（装置）を介して、ベッド就寝者の排泄物を処理する場合には、尿、便意によりベッド就寝者は、前記排泄用長溝部の長穴に腰部を位置しつつ排尿、排便するとともに排尿、排便による排泄物は処理ボックスの長溝部内に装入されるバキュームボックスのバキューム手段の作動による吸引作用を介して当該バキュームボックス内に収集することができるとともにこの収集処理に際する長溝部の長穴と周辺部は防水シートによってベッドの処理ボックス上面およびその周辺を汚損することなく処理することができる。
【先行技術文献】
【特許文献】
【０００８】
【特許文献１】特開２０１０−８８７０１号公報
【考案の概要】
【考案が解決しようとする課題】
【０００９】
しかるに、前記特許文献１によるベッドにおける就寝者の排尿、排便の排泄物収集に際する処理ボックスを介する収集処理方法においては、処理ボックスの長溝部に位置合わせして設けた防水シートの袋体を長溝部内側に落とし込んでセットした状態にて、当該長溝部に装入したバキュームボックスの吸引作用を介して前記排泄物を吸引収集するのであるが、前記防水シートの袋体と長溝部の長穴開口部は開放状態であり、両者間における排尿あるいは排便の漏れ出しを防止することができないのが現状である。
【００１０】
従って、排泄物の漏れ出しにより、ベッド上面シートやマットレスおよびベッド本体の処理ボックスの長溝部における排尿、排便の漏れ出しによるしみ込みによって、悪臭を発散する欠点を阻止することができなかった。
【００１１】
又、処理ボックスの長溝部と袋体の開放部により、前記バキュームボックスのバキュウーム作用が低減され、排泄物の収集効率を低下させる欠点を有するものであった。
【００１２】
因って、本考案は、特許文献１における処理ボックスの排泄用長溝部と防水シートの袋体、あるいはベッド本体の特許文献１のマットレスにおける処理ボックスの長溝部とに対応する処理ボックスの長溝部内に装入されるバキュームボックスの長溝開口部と防水シートの袋体との開放部からの排泄物並びに臀部洗浄水等の漏れ出しを皆無とし、悪臭を無くすとともにバキュームボックスのバキューム効果を向上することのできるマットレス又はベッドにおける排泄物の処理方法と装置に使用する防水シートとバキュームボックスの提供を目的するものである。
【課題を解決するための手段】
【００１３】
本考案は、マットレス又はベッドにおける排泄物処理ボックスにおいて、マットレス又はベッドに敷設したマットレスの上面および排泄用長講を覆う防水シートの袋体開口端縁と前記排泄物処理ボックスの排泄用長講内にスライド自在に装入したバキュームボックスの開口端縁を気密かつ水密的に接着または溶着することにより構成したことを特徴とする。
【考案の効果】
【００１４】
本考案は、マットレス又はベッドにおける排泄物処理ボックスによる排泄物処理方法と装置に使用する防水シートとバキュームを構成するに当たり、防水シートの袋体開口部とバキュームボックスの開口部とを気密かつ水密的に閉止する手段として防水シートの袋体開口部をバキュームボックスの開口部を接着あるいは溶着することにより構成しつつ排泄物用長溝部内に排泄される排尿、排便をバキュームボックスのバキューム作用により吸引して収集処理することにより、排尿、排便がベッドの排泄物処理ボックスの長溝部内やその周辺部に漏れ出すのを完全に防止することができ、ベッドやその周辺における悪臭の発生を阻止することができる。
【００１５】
又、防水シートの袋体開口部とバキュームボックスの開口部を気密かつ水密的に閉止することにより前記バキュームボックスによる排泄物のバキューム効果の低下を防止し、排泄物の吸引効率を向上せしめることができる。
【００１６】
尚、特許文献１による効果としては、尿便意があってもトイレ移動出来ないベッド就寝者の自力排泄を可能とするもので勢い、オムツによる安易な排泄による脳神経系統の廃退を阻止し、認知証の予防にもなり、自力排泄による脳の活性化を図ることのできる作用効果を、本考案も当然達成することができるものである。
【考案を実施するための形態】
【００１７】
本考案がその課題を解決するための最良の形態としては、マットレス又はベッドに敷設するマットレスの略中央かつ長手方向に沿つて排泄用長溝部を凹設するとともに前記ベッドのベッド本体に、前記マットレスの排泄用長溝部に対応する排泄用長溝部を備える処理ボックスを設け、かつ前記マットレスの上面および長溝部を覆う防水シートを設けるとともに、前記マットレス又はベッド本体の処理ボックス内にバキューム手段を備えるバキュームボックスを装入することにより、排泄物処理ボックスを構成したマットレス又はベッドにおいて、前記マットレス又はベッドの排泄物処理ボックスの防水シートの袋体開口部とバキュームボックスの開口部とを気密かつ水密的に閉止しつつ、当該排泄物処理ボックスのマットレスおよびベッド本体の排泄用長溝部内に排泄される排尿、排便を前記バキュームボックスのバキューム作用により吸引することによリバキュームボックス内に収集処理するマットレス又はベッドにおける排泄物の処理方法と装置に使用する防水シートとバキュームボックスを前記防水シートの袋体開口部をバキュームボックスの開口部に気密かつ水密的に接着あるいは溶着することにより構成し、当該バキュームボックスを前記ベッドの排泄物処理ボックスの排泄物用長溝部内に装入するとともに防水シートにより、マットレス上面及びその周辺を覆うことにより使用することができるように構成したことを特徴とする。
【実施例１】
【００１８】
図１及び図２は本考案の実施例１を示すもので、図１はベッドに設けた排泄物処理ボックスの断面図、図２はベッドの平面図である。
【００１９】
図１、２に示すベッド３０の略中央部には、ベッド３０に就寝する就寝者が排泄する排尿、排便の排泄物を処理することのできる排泄物処理ボックス４０が設けられている。
【００２０】
この排泄物処理ボックス４０は、ベッドに３０のベッド本体３１の上面に敷設したマットレス１と、当該マットレス１の略中央かつ長手方向に沿って凹設される排泄用長溝２と、当該排泄用長溝２に対応する位置に設けられたベッド本体３１の処理ボックス３２と、該処理ボックス３２内に装入されたバキュームボックス３３、さらに、前記ベッド３０の中央上面およびマットレス１の排泄用長溝２とベッド本体３１の処理ボックス３２の開口部およびその周辺を覆う防水シート４によって構成される。
【００２１】
尚、この排泄物処理ボックス４０の構成におけるマットレス１と防水シート４の構成についての詳細は、前記特許文献１（特開２０１０−８８７０１号公報）記載の構成と同一の構成によって実施することができ、その各構成の具体的説明については省略し、その同一構成は同特許文献１の図と同一番号を使用することにより説明する。
【００２２】
さて、前記ベッド３０の略中央部に設けられた排泄物処理ボックス４０のバキュームボックス３３については、ベッド本体３１の略中央部において、前記マットレス１の排泄用長溝２に対応する位置に、対応する排泄用長溝３４を開口するとともにこの排泄用長溝３４に、長形立方体から成る処理ボックス３２を設け、この処理ボックス３２内に装入した前記バキュームボックス３３は、その装入位置を処理ボックス３２の長手方向間においてスライド自在に装入するとともに当該バキュームボックス３３の後部にはバキューム手段（図示しない）を設け、当該バキュームボックス３３内に排泄される排尿、排便の排泄物を吸引しつつ収集することができるように構成されている。
【００２３】
又、特に、前記防水シート４の前記マットレス１とベッド本体３１の排泄用長溝２および３４を覆う袋体５の開放開口端縁５ａとバキュームボックス３３の開放開口端縁３３ａは、気密かつ水密的に接着または溶着することによって、気密かつ水密的に閉止することにより構成されている。
【００２４】
以上の構成から成るベッド３０の排泄物処理ボックス４０による排泄物の処理方法は、特許文献１のマットレス１における排泄方法と同一の方法により、排泄物処理ボックス４０のバキュームボックス３３のバキューム手段を作動しつつ吸引収集することにより実施するものである。
【００２５】
特に、排泄物処理ボックス４０のマットレス１とベッド本体３１の排泄用長溝２、３４は防水シート４の袋体５に覆われるとともにその開口部縁５ａとバキュームボックス３３の開口端縁３３ａは接着または溶着により気密かつ水密的に閉止されているので、当該排泄物処理ボックス４０におけるベッド３０の中央部上面および周辺における排泄物の漏れ出しを皆無成らしめることができ、漏れ出しによる悪臭の発生を防止することができる。
【００２６】
そして、前記バキュームボックス３３におけるバキューム作用については、防水シート４とバキュームボックス３３の開放開口端縁５ａ、３３ａを気密かつ水密的に閉止しつつバキュームすることができるので排泄物の吸引収集率の低下を防止し、効率をより向上することができるものである。
【００２７】
尚、就寝者の排泄時における排泄位置については、排泄物処理ボックス４０のマットレス１とベッド本体３３の排泄用長溝２、３４の長さ方向間位置により対応することができ、これに合わせて、処理ボックス３２内にスライド自在に装入したバキュームボックス３３をスライドしつつ位置合わせすることにより排泄物を吸引収集して処理することができるもので、その際の方法の具体的な方法は、特許文献１の実施例の記載により実施することが可能である。
【実施例２】
【００２８】
図３は本考案の実施例２を示すもので、同図はベッドの平面図を示すものである。
【００２９】
しかして、この実施例２による本考案の排泄処理方法は、ベッド３０の就寝者がベッド３０より起き上がり、ベッド３０に腰掛けた状態にて排尿あるいは排便する場合の実施例を示すものである。
【００３０】
因って、当該実施例２の場合には、図３に示すごとく、ベッド３０を２分割することができるように構成する。すなわち、ベッド３０のベッド本体３１の後部３５を前部３６より分割することができるように構成するとともにベッド本体３１の上面に敷設するマットレス１についてもベッド本体３１の前部３６と後部３５の上面に敷設するマットレス前部３７および後部３８を分割自在に構成する。
【００３１】
又、ベッド３０の前後部３５，３６を分割自在に構成する構成については当該技術分野における従来公知の手段にて実施することができるとともにマットレス１の前部３７の構成については、図３に示すごとく、就寝者が腰掛けて排尿、排便できるように、中央部に略方形溝３８を設けることにより構成する。
【００３２】
さらに、この方形溝３８の構成については、実施例１の排泄用長溝２、３４をベッド３０の前後部３５、３６を分割自在に構成する構成に対応せしめて設計して構成することにより実施する。従って、前記ベッド３０の後部３５を前部３６より分割することにより、実施例１の排泄物処理ボックス４０を就寝者がベッド３０に腰掛けて排尿、排便する排泄物処理方法に使用することができる。
【００３３】
又、バキュームボックス３３および防水シート４については、実施例２のバキュームボックス３３及び防水シート４をそのまま使用することにより、実施することが出来るとともに処理方法についても同一であるので説明は省略する。
【００３４】
尚、実施例２のバキュームボックス３３及び防水シート４をそのまま使用する場合には、ベッド３０の後部３５と前部３６を分割した後、図４の方形溝３８にバキュームボックス３３の前部３９を装入しつつ実施するがこの場合その後部は図３にて点線で示すように方形溝３８より突出した状態にセットされる。
【００３５】
又、ベッド３０の前部３６のベッド本体３１には、実施例１の処理ボックス３２が突出状態に後部３５より分割される。
【００３６】
従って、当該実施例３の場合には、防水シート４とバキュームボックス３３については、マットレス１の方形溝３８に対応する方形溝を備える方形立方体のバキュームボックスとこれに防水シートの袋体開放端縁とを気密かつ水密的に接着または溶着した防水シートを備える構成のものを別体に用意して実施することも可能である（具体的な図示は省略する）。
【００３７】
尚、前記実施例１〜３における排泄物処理ボックス４０または５０において使用する防水シート４の袋体５とバキューム卜す３３の開口部の開口端縁５ａと３３ａの開口部外周端縁を気密かつ水密的に接着または溶着して構成したが、これを袋体５の開口端縁５ａをバキュームボックス３３の開口端縁３３ａの内側周端縁に気密かつ水密的に接着または溶着するよう構成し実施することも可能である。
【図面の簡単な説明】
【００３８】
【図１】図１は、本考案の実施例１を示すもので、マットレスに設けた排泄物処理ボックスの断面図
【図２】図２は、本考案の実施例２を示すもので、ベッドに設けた排泄物処理ボックスの断面図
【図３】図３は、同ベッドの平面図
【図４】図４は、本考案の実施例３を示すもので、ベッドの平面図である。
【符号の説明】
【００３９】
１      マットレス
２      排泄用長溝
４      防水シート
５      袋体
５ａ    袋体の開放開口端縁
３０    ベッド
３１    ベッド本体
３２    処理ボックス
３３    バキュームボックス
３３ａ  開放開口端縁
３４    排泄用長溝
３５    ベッド本体の後部
３６    ベッド本体の前部
３７    マットレスの前部
３８    マットレスの前部の方形溝
３９    バキュームボックスの前部
４０    排泄物処理ボックス
５０    排泄物処理ボックス
【図１】
0003201011.tif 000003
【図２】
0003201011.tif 000004
【図３】
0003201011.tif 000005
【図４】
0003201011.tif 000006
【手続補正書】
【提出日】平成27年9月2日(2015.9.2)
【手続補正１】
【補正対象書類名】明細書
【補正対象項目名】全文
【補正方法】変更
【補正の内容】
【考案の詳細な説明】
【技術分野】
【０００１】  本考案は、マットレス又はベッドにての就寝中における尿便の排泄に際する排泄物を収集処理する排泄物処理ボックスに関するものである。
【背景技術】
【０００２】  現在、ベッド就寝状況下の排泄物処理方法としては、就寝者の身体能力状況に左右されることに加えて、処理方法、装置の処理能力に左右されている。然るに、生涯自力排泄は、ベッド就寝者に切望されるところであるが適切な用具が無く、仕方なしにオムツに頼ってしまうのが現実である。【０００３】  しかし、脳血管障害、パーキンソンあるいは癌末期のベッド就寝者の多くは、頭脳はしっかりしているので、少なくとも手の操作が可能であれば、ベッド上での自力排泄が可能であることに着目して、既に考案者は特願２００８−２６２４０７号（特開２０１０−８８７０１号公報）を提案したところである（特許文献１）。【０００４】  当該マットレス又はベッドにおける排泄物の処理方法は、ベッドに敷設するマットレスの略中欠かつ長手方向に沿って排泄用の長溝を凹設するとともに長溝の長穴およびその周辺のマットレス上面を覆う防水シートによって構成される排泄物処理ボックス（装置）を介して排泄物を収集処理する方法である。【０００５】  又、ベッド就寝者の排泄物処理ボックス（装置）の排泄用長穴に位置しての排泄は、防水シートと排泄処理ボックスの長溝内に装入セットされるバキュームボックス（バキューム手段を備える排泄物としての排尿、排便収集用ボックス）によって収集することができるように構成されている。【０００６】  尚、前記特許文献１にては、長溝内に直接排泄する場合と差込便器を使用する実施例が示されている。すなわち、前記ベッドにおける排泄物処理ボックス（装置）によるベッド就寝者の排泄物処理方法としては、ベッドの略中央かつ長手方向に沿って凹設する排泄用長溝部とこの長溝部の長穴および周辺を覆う防水シートに加えて、前記長溝部内に装入するバキュームボックス（尚当該バキュームボックスは、長溝部内の長穴の長さ方向間においてスライド自在（摺動自在）に装入することも可能である。【０００７】  よって排泄物処理ボックス（装置）を介して、ベッド就寝者の排泄物を処理する場合には、尿、便意によりベッド就寝者は、前記排泄用長溝部の長穴に腰部を位置しつつ排尿、排便するとともに排尿、排便による排泄物は処理ボックスの長溝部内に装入されるバキュームボックスのバキューム手段の作動による吸引作用を介して当該バキュームボックス内に収集することができるとともにこの収集処理に際する長溝部の長穴と周辺部は防水シートによってベッドの処理ボックス上面およびその周辺を汚損することなく処理することができる。
【先行技術文献】
【特許文献】
【０００８】
【特許文献１】特開２０１０−８８７０１号公報
【考案の概要】
【考案が解決しようとする課題】
【０００９】  しかるに、前記特許文献１によるベッドにおける就寝者の排尿、排便の排泄物収集に際する処理ボックスを介する収集処理方法においては、処理ボックスの長溝部に位置合わせして設けた防水シートの袋体を長溝部内側に落とし込んでセットした状態にて、当該長溝部に装入したバキュームボックスの吸引作用を介して前記排泄物を吸引収集するのであるが、前記防水シートの袋体と長溝部の長穴開口部は開放状態であり、両者間における排尿あるいは排便の漏れ出しを防止することができないのが現状である。【００１０】  従って、排泄物の漏れ出しにより、ベッド上面シートやマットレスおよびベッド本体の処理ボックスの長溝部における排尿、排便の漏れ出しによるしみ込みによって、悪臭を発散する欠点を阻止することができなかった。【００１１】  又、処理ボックスの長溝部と袋体の開放部により、前記バキュームボックスのバキュウーム作用が低減され、排泄物の収集効率を低下させる欠点を有するものであった。【００１２】  因って、本考案は、特許文献１における処理ボックスの排泄用長溝部と防水シートの袋体、あるいはベッド本体の特許文献１のマットレスにおける処理ボックスの長溝部とに対応する処理ボックスの長溝部内に装入されるバキュームボックスの長溝開口部と防水シートの袋体との開放部からの排泄物並びに臀部洗浄水等の漏れ出しを皆無とし、悪臭を無くすとともにバキュームボックスのバキューム効果を向上することのできるマットレス又はベッドにおける排泄物処理ボックスの提供を目的するものである。
【課題を解決するための手段】
【００１３】  本考案は、マットレス又はベッドにおける排泄物処理ボックスにおいて、マットレス又はベッドに敷設したマットレスの上面および排泄用長溝を覆う防水シートの袋体開口端縁と前記排泄物処理ボックスの排泄用長溝内に装入したバキュームボックスの開口端縁を気密かつ水密的に接着または溶着することにより構成したことを特徴とする。
【考案の効果】
【００１４】  本考案は、マットレス又はベッドにおける排泄物処理ボックスを構成するに当たり、防水シートの袋体開口部とバキュームボックスの開口部とを気密かつ水密的に閉止する手段として防水シートの袋体開口部をバキュームボックスの開口部を接着あるいは溶着することにより構成しつつ排泄物用長溝部内に排泄される排尿、排便をバキュームボックスのバキューム作用により吸引して収集処理することにより、排尿、排便がベッドの排泄物処理ボックスの長溝部内やその周辺部に漏れ出すのを完全に防止することができ、ベッドやその周辺における悪臭の発生を阻止することができる。【００１５】  又、防水シートの袋体開口部とバキュームボックスの開口部を気密かつ水密的に閉止することにより前記バキュームボックスによる排泄物のバキューム効果の低下を防止し、排泄物の吸引効率を向上せしめることができる。【００１６】  尚、特許文献１による効果としては、尿便意があってもトイレ移動出来ないベッド就寝者の自力排泄を可能とするもので勢い、オムツによる安易な排泄による脳神経系統の廃退を阻止し、認知証の予防にもなり、自力排泄による脳の活性化を図ることのできる作用効果を、本考案も当然達成することができるものである。
【考案を実施するための形態】
【００１７】  本考案がその課題を解決するための最良の形態としては、マットレス又はベッドに敷設するマットレスの略中央かつ長手方向に沿つて排泄用長溝部を凹設するとともに前記マットレスの排泄用長溝部に対応する排泄用長溝部を備える処理ボックスを設け、かつ前記マットレスの上面および長溝部を覆う防水シートを設けるとともに、前記処理ボックス内にバキューム手段を備えるバキュームボックスを装入することにより、排泄物処理ボックスを構成したマットレス又はベッドにおいて、前記マットレス又はベッドの排泄物処理ボックスの防水シートの袋体開口部とバキュームボックスの開口部とを気密かつ水密的に閉止しつつ、当該排泄物処理ボックスのマットレスおよびベッド本体の排泄用長溝部内に排泄される排尿、排便を前記バキュームボックスのバキューム作用により吸引することによリバキュームボックス内に収集処理することができるように構成したことを特徴とする。
【実施例１】
【００１８】  図１は本考案の実施例１を示すもので、マットレスに設けた排泄処理ボックスの断面図である。【００１９】  当該実施例１のマットレス１に設けた排泄物処理ボックス５０は、図１に示す如くマットレス１の略中央部の長手方向に沿う排泄用溝２を凹設するとともに当該マットレス１の上面および排泄用長溝２の周辺を覆う防水シート４により構成されている。【００２０】  また、前記排泄用長溝２内には、バキューム手段を備えるバキュームボックス３３を装入することにより構成されている。【００２１】  そして、前記防水シート４の袋体５の開放開口端縁５ａとバキュームボックス３３の開放開口端縁３３ａは、気密かつ水密的に閉止することにより構成されている。
【実施例２】
【００２２】  図２、３は本考案の実施例２を示すもので、図２はベッドに設けた排泄物処理ボックスの断面図、図３はベッドの平面図である。【００２３】  図２、３に示すベッド３０の略中央部には、ベッド３０に就寝する就寝者が排泄する排尿、排便の排泄物を処理することのできる排泄物処理ボックス４０が設けられている。【００２４】  この排泄物処理ボックス４０は、ベッド３０のベッド本体３１の上面に敷設したマットレス１と、当該マットレス１の略中央かつ長手方向に沿って凹設される排泄用長溝２と、当該排泄用長溝２に対応する位置に設けられたベッド本体３１の処理ボックス３２と、該処理ボックス３２内に装入されたバキュームボックス３３、さらに、前記ベッド３０の中央上面およびマットレス１の排泄用長溝２とベッド本体３１の処理ボックス３２の開口部およびその周辺を覆う防水シート４によって構成される。【００２５】  尚、この排泄物処理ボックス４０の構成におけるマットレス１と防水シート４の構成についての詳細は、前記特許文献１（特開２０１０−８８７０１号公報）記載の構成と同一の構成によって実施することができ、その各構成の具体的説明については省略し、その同一構成は同特許文献１の図と同一番号を使用することにより説明する。【００２６】  さて、前記ベッド３０の略中央部に設けられた排泄物処理ボックス４０のバキュームボックス３３については、ベッド本体３１の略中央部において、前記マットレス１の排泄用長溝２に対応する位置に、対応する排泄用長溝３４を開口するとともにこの排泄用長溝３４に、長形立方体から成る処理ボックス３２を設け、この処理ボックス３２内に装入した前記バキュームボックス３３は、その装入位置を処理ボックス３２の長手方向間においてスライド自在に装入するとともに当該バキュームボックス３３の後部にはバキューム手段（図示しない）を設け、当該バキュームボックス３３内に排泄される排尿、排便の排泄物を吸引しつつ収集することができるように構成されている。【００２７】  又、特に、前記防水シート４の前記マットレス１とベッド本体３１の排泄用長溝２および３４を覆う袋体５の開放開口端縁５ａとバキュームボックス３３の開放開口端縁３３ａは、気密かつ水密的に接着または溶着することによって、気密かつ水密的に閉止することにより構成されている。【００２８】  以上の構成から成るマットレス１の排泄物処理ボックス５０による排泄物の処理方法は、特許文献１のマットレス１における排泄方法と同一の方法により、排泄物処理ボックス５０のバキュームボックス３３のバキューム手段を作動しつつ吸引収集することにより実施するものである。【００２９】  特に、排泄物処理ボックス５０のマットレス１と排泄用長溝２は防水シート４の袋体５に覆われるとともにその開口部縁５ａとバキュームボックス３３の開口端縁３３ａは接着または溶着により気密かつ水密的に閉止されているので、当該排泄物処理ボックス５０におけるマットレス１の中央部上面および周辺における排泄物の漏れ出しを皆無成らしめることができ、漏れ出しによる悪臭の発生を防止することができる。【００３０】  そして、前記バキュームボックス３３におけるバキューム作用については、防水シート４とバキュームボックス３３の開放開口端縁５ａ、３３ａを気密かつ水密的に閉止しつつバキュームすることができるので排泄物の吸引収集率の低下を防止し、効率をより向上することができるものである。【００３１】  尚、就寝者の排泄時における排泄位置については、排泄物処理ボックス４０のマットレス１とベッド本体３３の排泄用長溝２、３４の長さ方向間位置により対応することができ、これに合わせて、処理ボックス３２内にスライド自在に装入したバキュームボックス３３をスライドしつつ位置合わせすることにより排泄物を吸引収集して処理することができるもので、その際の方法の具体的な方法は、特許文献１の実施例の記載により実施することが可能である。
【実施例３】
【００３２】  図４は本考案の実施例３を示すもので、同図はベッドの平面図を示すものである。【００３３】  しかして、この実施例３による本考案の排泄処理方法は、ベッド３０の就寝者がベッド３０より起き上がり、ベッド３０に腰掛けた状態にて排尿あるいは排便する場合の実施例を示すものである。【００３４】  因って、当該実施例３の場合には、図４に示すごとく、ベッド３０を２分割することができるように構成する。すなわち、ベッド３０のベッド本体３１の後部３５を前部３６より分割することができるように構成するとともにベッド本体３１の上面に敷設するマットレス１についてもベッド本体３１の前部３６と後部３５の上面に敷設するマットレス前部３７および後部３８を分割自在に構成する。【００３５】  又、ベッド３０の前後部３５，３６を分割自在に構成する構成については当該技術分野における従来公知の手段にて実施することができるとともにマットレス１の前部３７の構成については、図４に示すごとく、就寝者が腰掛けて排尿、排便できるように、中央部に略方形溝４１を設けることにより構成する。【００３６】  さらに、この方形溝４１の構成については、実施例２の排泄用長溝２、３４をベッド３０の前後部３５、３６を分割自在に構成する構成に対応せしめて設計して構成することにより実施する。従って、前記ベッド３０の後部３５を前部３６より分割することにより、実施例２の排泄物処理ボックス４０を就寝者がベッド３０に腰掛けて排尿、排便する排泄物処理方法に使用することができる。【００３７】  又、バキュームボックス３３および防水シート４については、実施例２のバキュームボックス３３及び防水シート４をそのまま使用することにより、実施することが出来るとともに処理方法についても同一であるので説明は省略する。【００３８】  尚、実施例２のバキュームボックス３３及び防水シート４をそのまま使用する場合には、ベッド３０の後部３５と前部３６を分割した後、図４の方形溝３８にバキュームボックス３３の前部３９を装入しつつ実施するがこの場合その後部は図４にて点線で示すように方形溝３８より突出した状態にセットされる。【００３９】  又、ベッド３０の前部３６のベッド本体３１には、実施例２の処理ボックス３２が突出状態に後部３５より分割される。【００４０】  従って、当該実施例３の場合には、防水シート４とバキュームボックス３３については、マットレス１の方形溝４１に対応する方形溝を備える方形立方体のバキュームボックスとこれに防水シートの袋体開放端縁とを気密かつ水密的に接着または溶着した防水シートを備える構成のものを別体に用意して実施することも可能である（具体的な図示は省略する）。【００４１】  尚、前記実施例１〜３における排泄物処理ボックス４０または５０において使用する防水シート４の袋体５とバキュームボックス３３の開口部の開口端縁５ａと３３ａの開口部外周端縁を気密かつ水密的に接着または溶着して構成したが、これを袋体５の開口端縁５ａをバキュームボックス３３の開口端縁３３ａの内側周端縁に気密かつ水密的に接着または溶着するよう構成し実施することも可能である。
【図面の簡単な説明】
【００４２】
【図１】図１は、本考案の実施例１を示すもので、マットレスに設けた排泄物処理ボックスの断面図
【図２】図２は、本考案の実施例２を示すもので、ベッドに設けた排泄物処理ボックスの断面図
【図３】図３は、同ベッドの平面図
【図４】図４は、本考案の実施例３を示すもので、ベッドの平面図である。
【符号の説明】
【００４３】１      マットレス２      排泄用長溝４      防水シート５      袋体５ａ    袋体の開放開口端縁３０    ベッド３１    ベッド本体３２    処理ボックス３３    バキュームボックス３３ａ  開放開口端縁３４    排泄用長溝３５    ベッド本体の後部３６    ベッド本体の前部３７    マットレスの前部３８    マットレスの前部の方形溝３９    バキュームボックスの前部４０    排泄物処理ボックス４１    方形溝５０    排泄物処理ボックス
【手続補正２】
【補正対象書類名】実用新案登録請求の範囲
【補正対象項目名】全文
【補正方法】変更
【補正の内容】
【実用新案登録請求の範囲】
【請求項１】
マットレスにおける排泄物処理ボックスにおいて、マットレスの上面および排泄用長講を覆う防水シートの袋体開口端縁とバキュームボックスの開口端縁を気密かつ水密的に接着または溶着することにより構成したことを特徴とする排泄物処理ボックス。
【請求項２】
ベッドに敷設するマットレスの略中央かつ長手方向に沿って排泄用長溝部を凹設するとともに前記ベッドのベッド本体に、前記マットレスの排泄用長溝部に対応する排泄用長溝部を備える処理ボックスを設け、かつ前記マットレスの上面および長溝部を覆う防水シートを設けるとともに、前記ベッド本体の処理ボックス内にバキューム手段を備えるバキュームボックスを装入することにより、排泄物処理ボックスを構成したベッドにおいて、前記ベッドの排泄物処理ボックスの防水シートの袋体開口部とバキュームボックスの開口部とを気密かつ水密的に接着あるいは溶着することにより構成したことを特徴とするベッドの排泄物処理ボックス。
【手続補正３】
【補正対象書類名】図面
【補正対象項目名】図４
【補正方法】変更
【補正の内容】
【図４】
0003201011.tif 000007